(57)【要約】時計バンドは、時計本体に連結される。この時計バンドは、  第１駒と、第２駒と、連結ピンと、エンドピースと、固定ピンとを備えている。第１駒は、第１ピン孔を有する第１受け部と、第１ピン孔内に配置された挟持部材とを備えている。第２駒は、第１受け部に並列して配置され袋穴を有する押さえ部と、第２ピン孔を有する第２受け部とを備えている。連結ピンは、袋穴から第１ピン孔へ延び、挟持部材によって所定の挟持力で保持されている。エンドピースは、第２受け部に並列して配置され、かつ時計本体に隣接する。固定ピンは、第２ピン孔からエンドピースへ延びて、第２駒と前記エンドピースとを連結する。
2004077984.tif 000002
【特許請求の範囲】
【請求項１】
時計本体に連結される時計バンドであって、
第１ピン孔を有する第１受け部と、前記第１ピン孔内に配置された挟持部材とを備えた第１駒と、
前記第１受け部に並列して配置され袋穴を有する押さえ部と、第２ピン孔を有する第２受け部とを備えた第２駒と、
前記袋穴から前記第１ピン孔へ延び、前記挟持部材によって所定の挟持力で保持された連結ピンと、
前記第２受け部に並列して配置されるエンドピースと、
前記第２ピン孔から前記エンドピースへ延びて、前記第２駒と前記エンドピースとを連結する固定ピンと、
を含む時計バンド。
【請求項２】
前記挟持部材の挟持力が、前記第２駒の自重によって前記連結ピンが抜け出さない程度の強さに少なくとも設定されていることを特徴とする請求項１に記載の時計バンド。
【請求項３】
前記挟持部材が、Ｃリングで構成されていることを特徴とする請求項２に記載の時計バンド。
【請求項４】
前記第１ピン孔は、その内周壁に中心方向に延びる凸部を有し、
前記挟持部材は、前記凸部が係合する凹部を外周面に有している、
ことを特徴とする請求項３に記載の時計バンド。
【請求項５】
前記第１駒と前記第２駒との間に配置された中間駒をさらに含み、
前記連結ピンは、前記袋穴から前記中間駒を貫通して前記第１ピン孔へ延びている、
ことを特徴とする請求項１に記載の時計バンド。
【請求項６】
時計本体に連結される時計バンドであって、
第１ピン孔を有する第１受け部を備えた第１駒と、
前記第１駒に並列して配置され、第１袋穴と前記第１袋穴内に配置された第１挟持部材とを有する第２駒と、
前記第１駒から前記第２駒へと延び、前記第１挟持部材によって所定の挟持力で保持された第１中間ピンと、
第２ピン孔を有する第２受け部を備えた第３駒と、
前記第３駒に並列して配置され、第２袋穴と前記第２袋穴内に配置された第２挟持部材とを有する第４駒と、
前記第３駒から前記第４駒へと延び、前記第２挟持部材によって所定の挟持力で保持された第２中間ピンと、
前記第３駒から前記第１ピン孔を通じ前記第４駒へと延びる連結ピンと、
前記第２受け部に並列して配置されるエンドピースと、
前記第２ピン孔から前記エンドピースへ延びて、前記第３駒と前記エンドピースとを連結する固定ピンと、
を含む時計バンド。
【請求項７】
前記第１挟持部材の挟持力が、前記第２駒の自重によって前記第１中間ピンが抜け出さない程度の強さに少なくとも設定されており、
前記第２挟持部材の挟持力が、前記第４駒の自重によって前記第２中間ピンが抜け出さない程度の強さに少なくとも設定されていることを特徴とする請求項６に記載の時計バンド。
【請求項８】
前記第１及び第２挟持部材が、Ｃリングで構成されていることを特徴とする請求項７に記載の時計バンド。
【請求項９】
前記第１ピン孔は、その内周壁に中心方向に延びる第１凸部を有し、
前記第１挟持部材は、前記第１凸部が係合する第１凹部を外周面に有し、
前記第２ピン孔は、その内周壁に中心方向に延びる第２凸部を有し、
前記第２挟持部材は、前記第２凸部が嵌合する第２凹部を外周面に有している、
ことを特徴とする請求項８に記載の時計バンド。
【請求項１０】
前記第４駒は連結ピン用穴を有し、
前記連結ピンは、一端が前記第３駒に固定されており、他端が前記連結ピン用穴に挿入されている、
ことを特徴とする請求項９に記載の時計バンド。
【請求項１１】
第１ピン孔を有する第１受け部と、前記第１ピン孔内に配置された挟持部材とを備えた第１駒と、
前記第１受け部に並列して配置され袋穴を有する押さえ部と、第２ピン孔を有する第２受け部とを備えた第２駒と、
前記袋穴から前記第１ピン孔へ延び、前記挟持部材によって所定の挟持力で保持された連結ピンと、
前記第２受け部に並列して配置されるエンドピースと、
前記第２ピン孔から前記エンドピースへ延びて、前記第２駒と前記エンドピースとを連結する固定ピンと、
前記エンドピースに連結された時計本体と、
を含む腕時計。
【請求項１２】
前記挟持部材の挟持力が、前記第２駒の自重によって前記連結ピンが抜け出さない程度の強さに少なくとも設定されていることを特徴とする請求項１１に記載の腕時計。
【請求項１３】
前記挟持部材が、Ｃリングで構成されていることを特徴とする請求項１２に記載の腕時計。
【請求項１４】
前記第１ピン孔は、その内周壁に中心方向に延びる凸部を有し、
前記挟持部材は、前記凸部が係合する凹部を外周面に有している、
ことを特徴とする請求項１３に記載の腕時計。
【請求項１５】
前記第１駒と前記第２駒との間に配置された中間駒をさらに含み、
前記連結ピンは、前記袋穴から前記中間駒を貫通して前記第１ピン孔へ延びている、
ことを特徴とする請求項１１に記載の時計バンド。
【請求項１６】
第１ピン孔を有する第１受け部を備えた第１駒と、
前記第１駒に並列して配置され、第１袋穴と前記第１袋穴内に配置された第１挟持部材とを有する第２駒と、
前記第１駒から前記第２駒へと延び、前記第１挟持部材によって所定の挟持力で保持された第１中間ピンと、
第２ピン孔を有する第２受け部を備えた第３駒と、
前記第３駒に並列して配置され、第２袋穴と前記第２袋穴内に配置された第２挟持部材とを有する第４駒と、
前記第３駒から前記第４駒へと延び、前記第２挟持部材によって所定の挟持力で保持された第２中間ピンと、
前記第３駒から前記第１ピン孔を通じ前記第４駒へと延びる連結ピンと、
前記第２受け部に並列して配置されるエンドピースと、
前記第２ピン孔から前記エンドピースへ延びて、前記第３駒と前記エンドピースとを連結する固定ピンと、
前記エンドピースに連結された時計本体と、
を含む腕時計。
【請求項１７】
前記第１挟持部材の挟持力が、前記第２駒の自重によって前記第１中間ピンが抜け出さない程度の強さに少なくとも設定されており、
前記第２挟持部材の挟持力が、前記第４駒の自重によって前記第２中間ピンが抜け出さない程度の強さに少なくとも設定されていることを特徴とする請求項１６に記載の腕時計。
【請求項１８】
前記第１及び第２挟持部材が、Ｃリングで構成されていることを特徴とする請求項１７に記載の腕時計。
【請求項１９】
前記第１ピン孔は、その内周壁に中心方向に延びる第１凸部を有し、
前記第１挟持部材は、前記第１凸部が嵌合する第１凹部を外周面に有し、
前記第２ピン孔は、その内周壁に中心方向に延びる第２凸部を有し、
前記第２挟持部材は、前記第２凸部が係合する第２凹部を外周面に有している、
ことを特徴とする請求項１８に記載の腕時計。
【請求項２０】
前記第４駒は連結ピン用穴を有し、
前記連結ピンは、一端が前記第３駒に固定されており、他端が前記連結ピン用穴に挿入されている、
ことを特徴とする請求項１６に記載の腕時計。
【発明の詳細な説明】
【技術分野】  本発明は、時計バンド及び腕時計、特に、複数の駒をピンで連結した時計バンド及び腕時計に関する。
【背景技術】  一般に、駒の押さえ部を別の駒の受け部に当接させて、これらの駒をバンドの両縁に連続して設け、一方の押さえ部を有する駒に一端を連結し、駒の受け部のピン孔を貫通した連結ピンの他端を、他方の押さえ部を有する駒の袋穴に収めるようにして、前記駒同士を順に連結し、エンドピースとの連結部では、このエンドピースに連結される駒とエンドピースとを固定ピンで連結した腕時計用のバンドが知られている（実開平２−３３６１６号公報参照）。
この種のものでは、例えば、治具を使用して固定ピンを外し、エンドピースと駒との連結を解除すれば、その他の駒と駒との連結は、連結ピンによる連結であるために、特別な治具を使用することなく、その連結を簡単に解除することができる。従って、バンドの組み立て作業、或いは、バンドの長さ調整作業等を極めて容易に実現できる。
しかし、従来の構成では、駒同士を連結する連結ピンの他端を、押さえ部を有する駒の袋穴に遊嵌させているため、上述したように、例えば、治具を使用して固定ピンを外した状態で、袋穴を有する駒を下側にして、この時計バンドを持ち上げたような場合、袋穴を有する各駒が連結ピンの他端から抜け出し、各駒がばらばらになる等の問題がある。
上記の点から、より改善された時計バンドが必要とされることは、本発明の開示より当業者に明らかである。本発明は、これらの従来技術における必要性や、以下の開示によって当業者には明らかになるほかの必要性に応じるものである。
本発明の目的は、バンドの組み立て作業時、或いはバンドの長さ調整作業時等には、その作業を容易に行うことができる時計バンド及び腕時計を提供することにある。
【発明の開示】
本発明にかかる時計バンドは、時計本体に連結される。この時計バンドは、  第１駒と、第２駒と、連結ピンと、エンドピースと、固定ピンとを備えている。第１駒は、第１ピン孔を有する第１受け部と、第１ピン孔内に配置された挟持部材とを備えている。第２駒は、第１受け部に並列して配置され袋穴を有する押さえ部と、第２ピン孔を有する第２受け部とを備えている。連結ピンは、袋穴から第１ピン孔へ延び、挟持部材によって所定の挟持力で保持されている。エンドピースは、第２受け部に並列して配置される。固定ピンは、第２ピン孔からエンドピースへ延びて、第２駒と前記エンドピースとを連結する。
本発明にかかる腕時計は、前記時計バンドと、前記時計バンドに連結された時計本体とを備えている。
本発明にかかる別の時計バンドは、第１駒と、第２駒と、第１中間ピンと、第３駒と、第４駒と、第２中間ピンと、連結ピンと、エンドピースと、固定ピンとを備えている。第１駒は、第１ピン孔を有する第１受け部を備えている。第２駒は、第１駒に並列して配置され、第１袋穴と第１袋穴内に配置された第１挟持部材とを有する。第１中間ピンは、第１駒から前記第２駒へと延び、第１挟持部材によって所定の挟持力で保持されている。第３駒は、第２ピン孔を有する第２受け部を備えている。第４駒は、第３駒に並列して配置され、第２袋穴と前記第２袋穴内に配置された第２挟持部材とを有している。第２中間駒は、第３駒から第４駒へと延び、第２挟持部材によって所定の挟持力で保持されている。連結ピンは、第３駒から第１ピン孔を通じ第４駒へと延びる。エンドピースは、第２受け部に並列して配置される。固定ピンは、第２ピン孔からエンドピースへ延びて、第３駒とエンドピースとを連結する。
本発明にかかる別の腕時計は、この時計バンドと、前記時計バンドに連結された時計本体とを備えている。
上記のような本発明の目的、特徴、利点等は、以下の発明の記載により当業者に明らかとなるところのものである。以下の発明の記載は、添付の図面とともに、本発明の望ましい実施形態を開示するものである。
【図面の簡単な説明】  第１図は、本発明に係る腕時計の一実施形態を示す斜視図である。
第２図（Ａ）は、バンドの平面図である。
第２図（Ｂ）は、バンドの側面図である
第３図は、駒の連結方法を説明するための図である。
第４図は、駒の横断面図である。
第５図（Ａ）は、挟持部材の横断面図である。
第５図（Ｂ）は、挟持部材の側面図である。
第５図（Ｃ）は、挟持部材とピンを示す横断面図である
第６図は、別の実施形態を示すバンドの横断面図である。
第７図は、別の実施形態を示すバンドの横断面図である。
【発明を実施するための最良の形態】  以下、図面により本発明の実施形態を参照して説明する。この発明の開示により当業者には明らかにわかるように、本発明の実施の形態に関する記載は、本発明を説明するためのものでしかなく、後述の請求の範囲やその均等範囲によって定義されるところの本発明を限定するものではない。
次に図面を参照して本発明の好適な実施の形態について説明する。
第１図は、本発明の実施形態に係る腕時計の外観構成を示す斜視図である。この腕時計１は、時刻表示を行う時計本体３と、この時計本体３に連結されたバンド５とから構成される。時計本体３は、ステンレス、チタン等で形成された金属ケース内に、時計表示部が内蔵されて構成される。
なお、本実施形態では、時刻をアナログ表示する腕時計を例示したが、時刻をデジタル表示する腕時計であってもよい。
バンド５は、ステンレス、チタン等の金属材料で形成された駒を多数連結して構成される。バンド５は、上バンド５Ａと、下バンド５Ｂとからなり、これら上バンド５Ａと、下バンド５Ｂとは、この腕時計１を装着部位（装着者の手首）に止めるため、中留め（結束部）７で結束される。
第２図（Ａ）は腕時計１のバンド５を示す平面図、第２図（Ｂ）は同側面図である。上バンド５Ａと、下バンド５Ｂとはほぼ同じ構成である。
このバンド５は、上述のようにステンレス、チタン等の金属材料で形成された複数の駒１０を多数連結して構成される。
この駒１０は、第３図に示すように、外駒１１と中駒１２とを有し、これらをバンド５の長さ方向に所定寸法Ｌだけずらした状態で、ねじ１３で連結することにより構成されている。この構成によると、当該駒１０には、押さえ部１０Ａと受け部１０Ｂとが形成される。
本実施形態では、この駒１０の押さえ部１０Ａを、別の駒１０の受け部１０Ｂに当接させ、この別の駒１０の押さえ部１０Ａを、さらに別の駒１０の受け部１０Ｂに当接させ、これらの駒１０を、バンド５の両縁にそれぞれ連続配置して構成される。ここで、外駒１１の一部が押さえ部１０Ａを構成し、中駒１２の一部が受け部１０Ｂを構成している。
この受け部１０Ｂを構成する中駒１２の先端には、第２図（Ｂ）に示すように、凸部１２Ａが形成され、隣り合う中駒１２の基端には、凸部１２Ａに対向する凹部１２Ｂが形成される。この凹凸を対向させることにより、バンド５を平面方向から見たときに各駒１０がバンドの長さ方向に隙間なく連続する。
バンド５の両縁に配置された互いに対向する駒１０同士は、連結ピン１５、並びに中間ピン１７によって仮連結される。
この連結ピン１５は、第３図に示すように、一方の駒１０Ｘの外駒１１にその一端１５Ａが圧入により強固に連結され、他端１５Ｂが、２つの駒１０Ｐ，１０Ｑの受け部１０Ｂにそれぞれ形成されたピン孔２１，２２を貫通した後、他方の駒１０Ｙの外駒１１に形成された袋穴２３に収められる。中間ピン１７は頭部１７Ａを有する。この中間ピン１７は、一方の駒１０Ｘの外駒１１と中駒１２とに、その頭部１７Ａが挟持された状態で連結され、他端１７Ｂが、他方の駒１０Ｙの中駒１２に形成された孔２４を貫通し、さらに延出して外駒１１に形成された袋穴２５に収められる。
本実施形態では、他方の駒１０Ｙの中駒１２に形成された孔（袋穴２５と一体である。）２４の内側に、中間ピン１７の他端１７Ｂを、所定の挟持力で保持するＣリング（挟持部材）３１が設けられている。
Ｃリング３１の挟持力は、少なくとも他方の駒１０Ｙがその自重によって抜け出さない程度の強さに設定される。例えば、駒１０Ｙ全体の重量が０．０９８Ｎ程度の場合、挟持力は、０．４９Ｎ程度で十分であり、これ以上であっても良い。ただし、組み立て、分解の作業性などを考慮すると、０．９８〜５．８８Ｎ程度に設定される。
このＣリング３１は、他方の駒１０Ｙの外駒１１と中駒１２とをねじ１３で連結する前に、第４図に示すように、孔２４中に配置される。この孔２４は、途中に大径部２４Ａを有し、この大径部２４ＡにＣリング３１を配置し、その後に、外駒１１と中駒１２とがねじ１３で連結される。これにより、Ｃリング３１の孔２４中からの抜け出しが防止される。
この抜け出し防止のため、第５図（Ａ）〜第５図（Ｃ）に示すように、Ｃリング３１の外周に溝部３１Ａを形成してもよい。すなわち、この孔２４の内周壁には、第５図（Ａ）に示すように、周方向に延びる突部２４Ａが形成され、この突部２４Ａが、Ｃリング３１の外周に形成された溝部３１Ａに係合されることにより、Ｃリング３１が孔２４中に保持される。このＣリング３１は、第５図（Ｂ）に示すように、切り欠き部の幅Ｗが大きく形成され、しかも切り欠き部の反対側に薄肉部３１Ｂが形成され、当該Ｃリング３１を径方向に大きく収縮させた状態で、孔２４中に嵌め込み、そこに保持させることが可能に形成されている。
そして、第５図（Ｃ）に示すように、孔２４中に保持されたＣリング３１に、中間ピン１７の他端１７Ｂが挟持される。
上記実施形態では、孔２４中にＣリング３１を設けているが、これに限定されるものではなく、例えば、連結ピン１５の他端１５Ｂが収まる袋穴２３中に設けてもよく、或いは、孔２４と袋穴２３の両方に設けてもよい。
このバンド５の組み立て作業時、或いはその長さ調整作業時等は、その作業を容易に行うことができる。
このバンド５の組み立て時には、第３図を参照して、まず、図中右列の駒１０Ｙを移動させず、駒１０Ｑを矢印Ｘ方向に移動し、駒１０Ｙの押さえ部１０Ａに、駒１０Ｑの受け部１０Ｂを配置させる。ついで、図中左方の駒１０Ｘ、並びに駒１０Ｐを、矢印Ｙ，Ｚ方向に移動し、駒１０Ｘ、並びに駒１０Ｐの各連結ピン１５、中間ピン１７の他端１５Ｂ、１７Ｂを、対応する駒１０Ｙ，Ｑの袋穴に収めて、各駒１０Ｐ，Ｑ，Ｘ，Ｙを連結する。なお、図示は省略したが、駒１０Ｐ，Ｑの間に、これに隣接する駒１０が順に連結される。
バンド５の長さ方向に、必要バンド長さを構成するすべての駒１０が、上記手順に従い順に連結されて、これが完了すると、第２図に示すように、バンド５の終端の駒１０に、エンドピース１０Ｓが、固定ピン１９によって連結される。さらに、エンドピース１０Ｓには、時計本体３或いは中留め７が連結される。なお、このエンドピース１０Ｓは、時計本体３或いは中留め７であっても良い。
上記構成では、駒１０Ｘ、並びに駒１０Ｐの各連結ピン１５、中間ピン１７の他端１５Ｂ、１７Ｂを、対応する駒１０Ｙ，Ｑの袋穴に収めた段階では、各駒１０Ｐ，Ｑ，Ｘ，Ｙの連結は、いわゆる仮の連結状態にある。
そして、最後に、終端のエンドピース１０Ｓとこれに連結される駒１０とが固定ピン１９により連結されて始めて、すべての駒１０が、バンド５の側方に抜け出ることなく、いわゆる本固定される。
バンド５を分解する場合、まず、ドライバ等を使用して固定ピン１９を抜き、エンドピース１０Ｓと駒１０の連結を解除する。
この状態では、一方の駒１０に連結された中間ピン１７の他端１７Ｂが、他方の駒１０の孔２４中に収まり、この孔２４中では、その他端１７ＢがＣリング３１によって保持されているため、例えば、第３図中の駒１０Ｙ，Ｑを下側にして、このバンド５を持ち上げたような場合であっても、当該駒１０Ｙ，Ｑが中間ピン１７の他端１７Ｂから抜け出すことがなく、従って、各駒１０がばらばらになるといった不都合が解消される。
Ｃリング３１の挟持力は、上述したように、０．９８〜５．８８Ｎ程度に設定されている。従って、単一の駒１０の自重程度では、駒１０Ｙ，Ｑが中間ピン１７の他端１７Ｂから抜け出すことがないものの、第３図を参照し、矢印Ｘ，Ｙ，Ｚとは反対方向に簡単な力を加えれば、当該駒１０を簡単に分離することができる。これによれば、バンド５の分解が容易であり、バンドの長さ調整作業等を極めて容易に実現することができる。
第６図は、別の実施形態を示す。
この実施形態では、バンド５の両縁部に配列される駒１００が、上記実施形態のように、外駒、中駒の二分割構造となっておらず、各々の駒１００が一体に形成されている。この駒１００には、押さえ部１００Ａと受け部１００Ｂとが形成され、駒１００の押さえ部１００Ａを、駒１００の受け部１００Ｂに当接させて、これらの駒１００がバンド５の両縁部に連続して設けられている。
また、バンド５の両縁部に配列された駒１００同士の間には、５列に亘って、当該バンド５の長さ方向に所定の間隔をあけて、複数の帯状の中間駒１０１が配列されている。そして、複数の中間駒１０１と、上記駒１００同士とは、連結ピン１０２を介して連結されている。この連結ピン１０２は頭部１０２Ａを有する。この連結ピン１０２は、一方の駒１００Ｊと駒１００Ｋとに、その頭部１０２Ａが挟持された状態で連結され、他端１０２Ｂが、複数の帯状の中間駒１０１を貫通し、他方の駒１００Ｌに形成された孔１０３を貫通し、さらに延出して駒１００Ｍに形成された袋穴１０４に収められる。
バンド５の長さ方向に、必要バンド長さを構成するすべての駒１００が連結されて、これが完了すると、バンド５の終端の駒１００に、エンドピース１００Ｓが固定ピン１０６によって連結される。さらに、エンドピース１００Ｓには、時計本体３或いは中留め７が連結される。なお、このエンドピース１００Ｓは、時計本体３或いは中留め７であっても良い。
上記構成では、他方の駒１００Ｌに形成された孔（袋穴１０４と一体である。）１０３の内側に、連結ピン１０２の他端１０２Ｂを、所定の挟持力で保持するＣリング（挟持部材）１０５が設けられている。
このＣリング１０５の挟持力は、少なくとも他方の駒１００Ｌ，Ｍがその自重によって抜け出さない程度の強さに設定される。一般的には、０．９８〜５．８８Ｎ程度に設定される。
第７図は、さらに別の実施形態を示す。
この実施形態では、第６図のものと同様に、バンド５の両縁部に配列される駒１００が一体に形成されている。この駒１００には、押さえ部１００Ａと受け部１００Ｂとが形成され、駒１００の押さえ部１００Ａを、駒１００の受け部１００Ｂに当接させて、駒１００がバンド５の両縁部に連続して設けられている。バンド５の両縁部に配列された駒１００同士の間には、ほぼＺ字状に形成された、複数の中間駒１１１が配列されている。そして、複数の中間駒１１１と、上記駒１００同士とは、連結ピン１１２を介して連結されている。この連結ピン１１２は、一方の駒１００Ｊに、その一端１１２Ａが圧入され、他端１１２Ｂが、中間駒１１１を貫通し、他方の駒１００Ｌに形成された孔１０３を貫通し、さらに延出して駒１００Ｍに形成された袋穴１０４に収められる。
バンド５の長さ方向に、必要バンド長さを構成するすべての駒１００が連結されて、これが完了すると、バンド５の終端の駒１００に、エンドピース１００Ｓが固定ピン１１６によって連結される。
本実施形態では、他方の駒１００Ｌに形成された孔（袋穴１０４と一体である。）１０３の内側に、連結ピン１１２の他端１１２Ｂを、所定の挟持力で保持するＣリング（挟持部材）１１５が設けられている。
このＣリング１１５の挟持力は、少なくとも他方の駒１００Ｌ，Ｍがその自重によって抜け出さない程度の強さに設定される。一般的には、０．９８〜５．８８Ｎ程度に設定される。
これらの実施形態によっても、連結ピン１１２の他端１１２Ｂが、Ｃリング１１５の挟持力によって保持されるため、例えば、治具を使用して固定ピン１１６を外しただけでは、各駒１００が、ばらばらになることがなく、バンド５の組み立て作業時、或いはバンド５の長さ調整作業時等に、その作業を極めて容易に行うことができる。
以上、各実施形態に基づいて本発明を説明したが、本発明は、これに限定されるものではない。
上記各実施形態では、固定ピンを外しただけでは、各駒が、ばらばらになることがなく、バンドの組み立て作業時、或いはバンドの長さ調整作業時等に、その作業を容易に行うことができる。
上記に使用された、「前」、「後ろ」、「上」、「下」、「垂直」、「水平」、「斜め」やその他の方向を示す用語は、使用された図面上の方向を指すものである。従って、本発明を説明するために使用されたこれらの方向を示す用語は、使用された図面に比して相対的に解釈されるべきである。
上記に使用された「ほぼ」「約」「概ね」等の、程度を表す用語は、結果的に重大な変化をもたらすには至らないほどの、適度な量の偏差を示すものである。これらの程度を表す用語は、偏差により重大な変化がもたらされるのでない限り、少なくとも±５％程度の誤差を含むものとして解釈されるべきである。
この明細書は、日本特許出願番号２００３−５９７８７の開示の全てを、文献の援用により統合する。
上記実施形態は、本発明の実施形態の一部であり、上記の開示により、当業者には、請求の範囲において定義された本発明の範囲を超えることなくして上記実施形態に種々の変形を加えることが可能であることは明らかである。さらに上記実施形態は、本発明を説明するためのものでしかなく、後述の請求の範囲やその均等範囲によって定義されるところの本発明の範囲を限定するものではない。
【産業上の利用可能性】  以上のように、本発明の時計バンド及び時計は、固定ピンを外しただけでは、時計バンドを構成する各駒が、ばらばらになることがなく、バンドの組み立て作業時、或いはバンドの長さ調整作業時等に、その作業を容易に行うことができる時計バンド及び時計に用いられるのに適している。
【図１】
2004077984.tif 000003
【図２】
2004077984.tif 000004
【図３】
2004077984.tif 000005
【図４】
2004077984.tif 000006
【図５】
2004077984.tif 000007
【図６】
2004077984.tif 000008
【図７】
2004077984.tif 000009
【国際調査報告】
2004077984.tif 000010
2004077984.tif 000011
2004077984.tif 000012
2004077984.tif 000013